(57)【要約】【課題】１回で炊飯する所望の分量の米を収容して携帯又は保存することができ、しかも、収容した米の分量に適した炊飯時の基本の水の分量を容易に認識することができる米用スタンドパックを提供する。【解決手段】本願は、袋本体の下縁部に設けられて幅方向と直交する方向に厚みを有するようにガセット折りされた展開時船底型の底部（底部シート３）と、袋本体の上縁部に設けられて１回分の分量の米を収納した状態で封止された封止部１Ｕと、袋本体の側面部に設けられて収納した米の分量に対応した炊飯時における基本の水の分量位置を示す図柄状の目盛部４と、を備える。【選択図】図３
0003232992.tif 000002
【実用新案登録請求の範囲】
【請求項１】
袋本体の下縁部に設けられて幅方向と直交する方向に厚みを有するようにガセット折りされた展開時船底型の底部と、
前記袋本体の上縁部に設けられて１回分の分量の米を収納した状態で封止された封止部と、
前記袋本体の側面部に設けられて収納した米の分量に対応した炊飯時における基本の水の分量位置を示す図柄状の目盛部と、
を備える米用スタンドパック。
【請求項２】
請求項１記載の米用スタンドパックにおいて、
前記目盛部は、
水平な上辺が見切り縁部となるように下端に頂点を備える三つ鱗家紋状に配置した３個の大三角形部を備えるとともに、
上辺側で隣接する一方に位置する前記大三角形部はさらに下端に頂点を備えるボーリングピン状に配置した１０個の小三角形部を備え、
前記袋本体に収納された米の内容量を示すように、前記上辺側で隣接する他方に位置する前記大三角形部と前記頂点側に位置する前記大三角形部とは、前記袋本体に収納する米の１合に相当して色塗り若しくは白抜きとされ、
前記１０個の小三角形部は、前記袋本体に収納する米の０．１合に相当して色塗り若しくは白抜きとされる、
ことを特徴とする米用スタンドパック。
【請求項３】
請求項１又は請求項２記載の米用スタンドパックにおいて、
前記封止部は、
前記袋本体の下縁部側の幅方向と交差する方向が幅方向となるように封止されている、
ことを特徴とする米用スタンドパック。
【請求項４】
請求項３に記載の米用スタンドパックにおいて、
前記袋本体の両縁部をヒートシールによって圧着した左右の圧着部は、
前記封止部の幅方向中心よりも互いに逆方向に離れた位置にある、
ことを特徴とする米用スタンドパック。
【考案の詳細な説明】
【技術分野】
【０００１】
本願は、米用スタンドパックに係わり、特に、１回分の炊飯に適した米用スタンドパックに関する。
【背景技術】
【０００２】
一般に、米はｋｇ（キログラム、以下、各分量は単位表記）単位で販売されており、利用者が所望の分量の米を炊いている。この際、米は旧来からｋｇ単位ではなく、合単位で炊飯していることから、購入した袋から計量カップ等を用いて所望の分量を取り出している。
【０００３】
一方、近年のキャンプブームにより、所謂１００円ショップや１００均ショップ等においても安価な１合炊き用の飯盒が販売されるとともに、単身者用或いは防災時の避難食用としても需要が増えている。
【０００４】
このような需要に鑑み、Ｂ７（約縦１３ｃｍ×横約９ｃｍ）サイズのビニール製真空パックに１合分の無洗米を収納したもの（例えば、商品名：ミルキープリンセス）等が市販されており、類似の合単位での米収納パックも提案されている（例えば、特許文献１，２参照。）。
【先行技術文献】
【特許文献】
【０００５】
【特許文献１】特開２００４−０６５２１１号公報
【特許文献２】実用新案登録第３１６５４７６号公報
【考案の概要】
【考案が解決しようとする課題】
【０００６】
しかしながら、米１合は一般的な１人前の分量に対して多いなど、より細かい分量を収納した商品の要望がある。
【０００７】
また、米を炊く際の水の分量は米の分量よりも多いことから、上述したマチのない平袋を用いた真空パックのような形態では、切り取り開封後の空袋では開封前の袋の大きさより空袋が小さくなることと相俟って、空袋を計量カップとして利用することはできず、米を炊く際の水の分量は別途計量カップ等を用いなければならなかった。
【０００８】
なお、真空パックは、一般的にマチのない平袋が使用されているが、袋が内容物と密着しているため、袋の対向する上縁部中央付近を摘まんで引き裂くように開封（以下、「引き裂き開封」と称する。）することはできないため、上縁部を端から切り取って開封（以下、「切り取り開封」と称する。）する場合に比べて、より空袋は小さくなる。
【０００９】
ここで、炊飯前の米１合分の重さは約１５０ｇ〜１５５ｇであるが、一般には米１合は約１８０ｍｌ（１８０ｃｃ）に換算され、その際の水の分量は２００ｍｌ（２００ｃｃ）であることから。２００ｍｌ（２００ｃｃ）の計量カップに１８０ｍｌ（１８０ｃｃ）の目盛を入れたものなど、米１合の計量のために生み出された調理器具が知られている。なお、以下の説明ではｍｌに統一し、ｃｃ表記は省略して説明する。
【００１０】
上述したように、米研ぎが終わって水分をしっかり切った状態の「洗米」であれば、米１合に対して２００ｍｌ程度の水が適切であるとされているが、例えば、米研ぎの手間を必要としない「無洗米」であるならば、「洗米」に比べてやや多目の約２２０ｍｌ程度の水が適切であるとされ、さらに、健康志向ブームで消費量が増えている「玄米」であるならば、「洗米」や「無洗米」よりもさらに多い約２７０〜３００ｍｌ程度の水が適切とされている。
【００１１】
なお、「新米を炊く時には水を少なめに」と言われているが、現在の米の流通時には、新米も古米も保存に適した含有水分量で管理されている場合が殆どである。このため、上述した水の分量は新米・古米に係らず、基本の水の分量で良いとされている。
【００１２】
以上のことから、購入した米の種類（洗米・無洗米・玄米等）によって炊飯時の適切な水の分量は異なるため、炊きあがりの米の硬さは個人の好みであることを踏まえても、炊飯する米の分量に対して基本の水の分量を容易に知ることができれば、特に目盛のある炊飯器や飯盒以外で米を炊く場合においても利便性が高い。
【００１３】
また、一般的な米用の計量カップは、目盛が単なる細い線であるうえ、複数の分量（例えば、１／４合単位）で米用の目盛と水用の目盛とが混在しており、今回炊飯する米の分量にのみ対応した水分量を容易に認識することができず、米の炊飯量が多くなるほど計算が面倒であるという問題が生じていた。
【００１４】
そこで、１回で炊飯する所望の分量の米を収容して携帯又は保存（販売）することができ、しかも、収容した米の分量に適した炊飯時の基本の水の分量を容易に認識することができれば、汎用性はさらに向上することができる。
【００１５】
本願の目的は、１回で炊飯する所望の分量の米を収容して携帯又は保存することができ、しかも、収容した米の分量に適した炊飯時の基本の水の分量を容易に認識することができる米用スタンドパックを提供することにある。
【課題を解決するための手段】
【００１６】
上記課題を解決するため、本願の米用スタンドパックは、袋本体の下縁部に設けられて幅方向と直交する方向に厚みを有するようにガセット折りされた展開時船底型の底部と、前記袋本体の上縁部に設けられて１回分の分量の米を収納した状態で封止された封止部と、前記袋本体の側面部に印刷されて収納した米の分量に対応した炊飯時における基本の水の分量位置を示す図柄状の目盛部と、を備える。
【００１７】
本願の米用スタンドパックは、袋本体の内部に物品を収納しているときに文字通り起立（自立）するスタンドパックである。
【００１８】
米を収容する袋本体は、その下側は米収納状態で船底型（中央付近が膨らんで両側が先細り状の略対称形）に展開しており、これによって袋本体の下縁部の幅方向と直交する方向に厚さを確保しており、上記起立状態を維持するようになっている。
【００１９】
袋本体の上縁部は、米収納状態で封止されて封止部を構成しており、これにより米の携帯や保存が可能となっている。
【００２０】
炊飯時には、袋本体の上縁部を開放して米を炊飯用の容器に移し、その空袋に炊飯用の水を入れれば、図柄状の目盛によって容易に必要な水の分量を認識することができる。
【００２１】
すなわち、既存の１合分の米を収納した袋は、その内容量が米の分量を基準としているために、例えば、上縁部を裂いて開放することと相俟って、炊飯時に米の分量よりも多い水の分量を計量することは考慮されていない。
【００２２】
これに対し、本願の米用スタンドパックは、炊飯時に収納した米の分量にのみ対応した基本の水の分量用の目盛が認識し易い図柄で設けられているため、当然に袋の内容量は必要な水の分量以上に確保され、計量カップとしても利用することができる。
【考案の効果】
【００２３】
本願によれば、１回で炊飯する所望の分量の米を収容して携帯又は保存することができ、しかも、収容した米の分量に適した炊飯時の基本の水の分量を容易に認識することができる。
【図面の簡単な説明】
【００２４】
【図１】米を収納する前の米用スタンドパックの正面図である。
【図２】（Ａ）〜（Ｆ）は目盛の一例の説明図である。
【図３】（Ａ）は米収納状態の米用スタンドパックの斜視図、（Ｂ）は開封後の水計量状態の米用スタンドパックの斜視図、である。
【図４】底部の幅方向と封止部の幅方向との交差例を示す説明図である。
【図５】（Ａ）は底部の幅方向と封止部の幅方向とが一致している例を示す説明図、（Ｂ）は底部の幅方向と封止部の幅方向とが直交している例を示す説明図、である。
【考案を実施するための形態】
【００２５】
次に、本願の一実施形態に係る米用スタンドパックについて、図面を参照して説明する。
【００２６】
図１に示すように、未使用状態の米用スタンドパック１は、透明フィルムにヒートシール（以下、「圧着」と称する。）を施して形成した袋体であって、安定した自立形になるスタンド式パウチである。
【００２７】
具体的には、２枚（図では紙面と直交する方向（表裏）で重なっている）の胴部シート２の下端の間に、図示上方（使用状態において上方）を山折りとしてマチを構成する底部シート３を挟み、２枚の胴部シート２及び底部シート３の両側縁部を同時に圧着して左圧着部１Ｌ及び右圧着部１Ｒを形成すると同時に、胴部シート２の下端縁部と底部シート３の下端縁部とを弧状に圧着して下圧着部１Ｄを形成（圧着全体をハッチング領域で示す）することにより、底部シート３のマチを展開した際に船底型（中央付近が膨らんで両側が先細り状の略対称形）の下圧着部１Ｄの周縁の厚みによって保形性が確保され、これにより安定した起立状態とすることができる。なお、ここまでのスタンドパックの製造工程は周知の技術を用いている。また、この袋状態での胴部シート２と底部シート３とで袋本体を構成している。
【００２８】
また、船底型の底部を構成する底部シート３に対して側面部を構成する２枚の胴部シート２の一方には、収納した米の分量に対応した炊飯時における基本の水の分量位置を示す図柄状の目盛部４を印刷した接着フィルム５が設けられている。なお、この目盛部４は、胴部シート２に直接印刷したものであってもよい。
【００２９】
目盛部４は、その上縁（接着フィルム５の上縁）に全体の線よりも太い見切縁部４ａが設けられており、その見切縁部４ａを水平な上辺として下端に頂点を備える三つ鱗家紋状に配置した３個の大三角形部４ｂ，４ｃ，４ｄを備えるとともに、上辺側で隣接する一方に位置する大三角形部４ｂはさらに下端に頂点を備えるボーリングピン状に配置した１０個の小三角形部４ｂ１を備え、袋本体に収納された米Ｒの分量を示すように、上辺側で隣接する他方に位置する大三角形部４ｃと頂点側に位置する大三角形部４ｄとは、袋本体に収納する米Ｒの１合に相当して色塗り若しくは白抜きとされ、１０個の小三角形部４ｂ１は、袋本体に収納する米Ｒの０．１合に相当して色塗り若しくは白抜きとされる。
【００３０】
図２は、このような目盛部４を用いた米の分量を示す一例であり、図２（Ａ）は０．５合の場合、図２（Ｂ）は１．０合の場合、図２（Ｃ）は１．５合の場合、図２（Ｄ）は２．０号の場合、図２（Ｅ）は２．５合の場合をそれぞれ示す。
【００３１】
また、小三角形部４ｂ１は１０個が配置されているため、それぞれが０．１合を示すようになっており、全てを利用すれば最大３．０合まで収納する袋として利用することができる。
【００３２】
さらに、例えば、図２（Ｆ）に示すように、小三角形部４ｂ１の色塗りを薄くする或いは他の色と替えることによって０．０５合を示すことができ、０．７５合（３／４合）の分量を提示することも可能である。なお、これらの色や形状、或いは数は三角形でなくてもよい。
【００３３】
このように、目盛部４は、その上縁（接着フィルム５の上縁）に全体の線よりも太い見切縁部４ａとしているだけでなく、少なくとも大三角形部４ｂの一つ以上の小三角形部４ｂ１若しくは大三角形部４ｃが色塗りされていることにより、水の見切り線全体を太く認識させることができる。
【００３４】
接着フィルム５は、その下縁を底部シート３の山折り稜線に沿って胴部シート２に貼り付けることにより目盛としての高さの位置決めをすることができる。これにより、袋の大きさや米の種類並びに分量に応じた接着フィルム５を作成すれば、目盛部４の位置を容易に確定することができる。
【００３５】
米用スタンドパック１の各シート材質としては、プラスチック類のポリエチレンフィルムやポリプロピレンフィルム等が挙げられる。また、携帯性等の観点から、その大きさや素材厚さとは分量によって適宜変更可能であるし、同一の袋を用いて適宜範囲の容量で兼用することも可能である。
【００３６】
このような米用スタンドパック１には、２枚の胴部シート２の対向間隔を広げることで形成される開口部１ａから米Ｒを充填し、必要に応じてエア抜きをした状態で開口部１ａを圧着することで封止部１Ｕが形成される。
【００３７】
この際、図３（Ａ）及び図４に示すように、封止部１Ｕは、袋本体の下縁部側の幅方向、すなわち、船底型の底部シート３の幅方向（中心線状に２点差鎖線で示す）と交差する方向が幅方向となるように捻られたように封止（圧着）されている。なお、図３では、目盛部４は、その外形線のみを図示している。
【００３８】
そして、このような捻りを加えるように袋本体の両縁部をヒートシールによって圧着した左圧着部１Ｌ及び右圧着部１Ｒは、封止部１Ｕの幅方向中心よりも互いに逆方向に離れた位置にある。
【００３９】
これにより、例えば、図５（Ａ）に示すように、封止部１Ｕを、袋本体の下縁部側の幅方向、すなわち、船底型の底部シート３の幅方向（中心線状に２点差鎖線で示す）と一致する方向が幅方向となるように封止（圧着）されていると、開封時に切込部６があったとしても、心理的に中央付近を摘まんで引き裂き開封（矢印参照）してしまう場合がある。
【００４０】
同様に、例えば、図５（Ｂ）に示すように、封止部１Ｕを、袋本体の下縁部側の幅方向、すなわち、船底型の底部シート３の幅方向（中心線状に２点差鎖線で示す）と直交する方向が幅方向となるように封止（圧着）されていると、開封時に切込部６があったとしても、心理的に左圧着部１Ｌ及び右圧着部１Ｒを摘まんで引き裂き開封（矢印参照）してしまう場合がある。
【００４１】
このような引き裂き開封は、その力加減等によって勢いよく開封されてしまい、内容物（米Ｒ）が散らばってしまうという不具合を発生し易い。
【００４２】
これに対し、左圧着部１Ｌ及び右圧着部１Ｒは、封止部１Ｕの幅方向中心よりも互いに逆方向に離れた位置にあれば、この左圧着部１Ｌ及び右圧着部１Ｒを摘まんで引き裂き開封しようとしても、その力が分散されて引き裂き難くなるため、切込部６を利用した切り取り開封を促し易くすることができる。
【００４３】
これにより、図３（Ｂ）に示すように、空袋に水を注入し、起立状態で水面位置を見切縁部４ａと一致させれば、基本の水の分量を容易に認識することができる。
【００４４】
なお、封止部１Ｕを含む切込部６よりも上方を切り取る場合、完全に切り取る（切り離す）必要はなく、米Ｒの取り出し並びに水の注入が可能であれば、水の注入量に応じて袋が膨らむため、水の分量の適正化に大きな影響は与えることがない。
【００４５】
また、胴部シート２に、米の種類や米Ｒの分量、見切り位置や開封方法等を説明や図柄等を適宜印刷することができることは勿論である。
【００４６】
以上、添付図面を参照しながら本願の実施の形態について詳細に説明した。しかしながら、本願の技術的思想の範囲は、ここで説明した実施の形態に限定されないことは言うまでもない。すなわち、本願の属する技術の分野における通常の知識を有する者であれば、請求の範囲に記載された本願の技術的思想の範囲内において、様々な変更や修正、組み合わせなどを行うことに想到できることは明らかである。
【産業上の利用可能性】
【００４７】
以上説明したように、本願に係る米用スタンドパックは、１回で炊飯する所望の分量の米を収容して携帯又は保存することができ、しかも、収容した米の分量に適した炊飯時の基本の水の分量を容易に認識することができるという効果を有し、米用スタンドパックに係わり、特に、１回分の炊飯に適した米用スタンドパック全般に有用である。
【符号の説明】
【００４８】
１            米用スタンドパック
１Ｄ        圧着部
１Ｌ        左圧着部
１Ｒ        右圧着部
１Ｕ        封止部
１ａ        開口部
２            胴部シート
３            底部シート
４            目盛部
４ａ        見切縁部
４ｂ        三角形部
４ｂ１    三角形部
４ｃ        三角形部
４ｄ        三角形部
５            接着フィルム
６            切込部
Ｒ            米
【図１】
0003232992.tif 000003
【図２】
0003232992.tif 000004
【図３】
0003232992.tif 000005
【図４】
0003232992.tif 000006
【図５】
0003232992.tif 000007